(57)【要約】【課題】既存のＣ／Ａコードを使用し、消費電力の増大を少なく抑え、安定したマナーエリア識別を行うことを可能とする。【解決手段】使用制限システム１は、マナーエリア信号を生成する識別信号発生装置２と、マナーエリアに設置され、識別信号発生装置２で生成したマナーエリア信号を発信する送信アンテナ３とを備える。識別信号発生装置２は、マナーエリアに送信電波が到達しないＧＰＳ衛星のＣ／Ａコードを用いて拡散処理を行う拡散部２５ｃと、拡散処理後の信号をＧＰＳ形式に変調して出力する変調部２５ｄとを備える。また、携帯電話機４は、ＧＰＳ形式の信号を受信する受信アンテナ４１と、マナーエリアに送信電波が到達しないＧＰＳ衛星のＣ／Ａコードを用い、受信アンテナ４１の受信信号に逆拡散処理を施す逆拡散部４３と、逆拡散処理の可否に応じて携帯電話機４の使用制限を実施する使用制限制御部４７とを備える。【選択図】図１
2011035805.tif 000002
【特許請求の範囲】
【請求項１】
マナーエリアでの携帯電話機の使用状態を制御する使用制限システムであって、
マナーエリア信号を生成する識別信号発生装置と、
マナーエリアに設置され、該識別信号発生装置で生成したマナーエリア信号を発信する送信アンテナとを有し、
前記識別信号発生装置は、マナーエリアに送信電波が到達しないＧＰＳ衛星の識別情報を用いて拡散処理を行う拡散部と、拡散処理後の信号をＧＰＳ形式に変調し、前記マナーエリア信号として出力する変調部とを備え、
前記携帯電話機は、ＧＰＳ形式の信号を受信する受信アンテナと、マナーエリアに送信電波が到達しないＧＰＳ衛星の識別情報を用い、前記受信アンテナで受信した信号に逆拡散処理を施す逆拡散部と、該逆拡散部での逆拡散処理の可否に応じて該携帯電話機の使用制限を実施する使用制限制御部とを備えることを特徴とする携帯電話機の使用制限システム。
【請求項２】
前記マナーエリアに送信電波が到達しないＧＰＳ衛星が、不使用のＧＰＳ衛星及び／又はマナーエリアを基準として仰角が０°以下であるＧＰＳ衛星であることを特徴とする請求項１に記載の携帯電話機の使用制限システム。
【請求項３】
前記送信アンテナが指向性放射アンテナであることを特徴とする請求項１又は２に記載の携帯電話機の使用制限システム。
【請求項４】
前記識別信号発生装置は、ＧＰＳ形式の信号を受信する第１の受信アンテナと、該第１の受信アンテナで受信するＧＰＳ衛星からの運行データに基づき、前記マナーエリアに送信電波が到達しないＧＰＳ衛星を検出する第１の検出部とを備え、
前記携帯電話機は、前記受信アンテナで受信するＧＰＳ衛星からの運行データに基づき、前記マナーエリアに送信電波が到達しないＧＰＳ衛星を検出する第２の検出部とを備えることを特徴とする請求項１、２又は３に記載の携帯電話機の使用制限システム。
【請求項５】
前記マナーエリアに送信電波が到達しないＧＰＳ衛星の識別情報がＣ／Ａコードであることを特徴とする請求項１乃至４のいずれかに記載の携帯電話機の使用制限システム。
【請求項６】
前記使用制限が、前記携帯電話機の電源オフ、音声鳴動のオフ又は該携帯電話機の無線部の電源オフであることを特徴とする請求項１乃至５のいずれかに記載の携帯電話機の使用制限システム。
【発明の詳細な説明】
【技術分野】
【０００１】
本発明は、携帯電話機の使用状態を制御するシステムに関し、特に、マナーエリアでの不適切な使用を抑制するためのシステムに関する。
【背景技術】
【０００２】
現在、携帯電話機が幅広く普及しており、屋内外を問わず、様々な場所で使用される機会が増えている。その一方で、一般社会においては、例えば、医療機関や公共の交通機関など、携帯電話機の使用に適さない場所（マナーエリア）が存在し、それらの場所では、携帯電話機の使用を控えたり、音声鳴動しないマナーモードでの使用が求められる。
【０００３】
しかし、マナーエリアでの携帯電話機の使用を控えなかったり、マナーモードに切り替えずに使用し続けるユーザも存在し、マナーが遵守されているとは言い難い。尚、管理者が常駐するマナーエリアであれば、携帯電話機の電源を切るように促したり、マナーモードの利用を促すなどの対応も可能になるが、電源オフやマナーモードへの切り替えには、携帯電話機の操作が不可欠となるため、結局のところ、ユーザ自身のモラルに頼らざるを得ない。
【０００４】
そこで、例えば、特許文献１には、携帯電話機に搭載されたＧＰＳ（Global Positioning System）機能を利用し、携帯電話機の位置を特定してマナーモードへの切り替えを制御するシステムが提案されている。この制御システムは、携帯電話機から基地局への上りデータに位置情報を付加することで、基地局と接続されたメインサーバに携帯電話機の位置を通知し、その後、メインサーバで、携帯電話機がマナーエリアに位置するか否かを判別し、マナーモードへの切り替えの有無を制御する信号を携帯電話機へ返信するように構成されている。
【０００５】
また、特許文献２には、マナーエリアに設置された送信アンテナからＧＳＰ擬似信号を発信し、それをＧＰＳ機能付きの携帯電話機で受信して携帯電話機の電源のオン／オフを制御するシステムが提案されている。この制御システムでは、仮想のＧＰＳ衛星のＣ／Ａコード（使用されているＣ／Ａコードとは別のもの）を用いてＧＰＳ擬似信号を生成し、これをマナーエリアであることを示す識別信号として用いるようにしている。
【先行技術文献】
【特許文献】
【０００６】
【特許文献１】特開２００６−２５３９３８号公報
【特許文献２】特開２００７−２４３６７２号公報
【発明の概要】
【発明が解決しようとする課題】
【０００７】
しかし、特許文献１に記載の制御システムにおいては、携帯電話機のＧＰＳ機能を利用して位置を特定するため、マナーエリアを漏れなく判別するには、携帯電話機が現在位置の測位動作を実行し続ける必要がある。現在位置の測位動作には、ＣＰＵによる測位演算が必要になるため、消費電力の増大を招くという問題がある。
【０００８】
また、上記制御システムでのマナーエリアの判別手法は、携帯電話機の測位結果を用いるものであるため、ＧＰＳ衛星からの電波を受信し難い場所（屋内や遮蔽物が多い場所）に携帯電話機が位置する場合には、測位誤差に起因する誤判定が生じる虞があり、安定性に欠けるという問題もある。
【０００９】
一方、特許文献２に記載の制御システムにおいては、携帯電話機の測位結果を利用せずにマナーエリアを識別するが、既存のＣ／Ａコード（３２基のＧＰＳ衛星に対応するＣ／Ａコード）と異なる新規のＣ／Ａコード（３３基目以降のＧＰＳ衛星を想定したＣ／Ａコード）を用いてＧＰＳ擬似信号を生成するため、Ｃ／Ａコードを生成する回路の規模が大きくなるという問題がある。
【００１０】
そこで、本発明は、上記従来の技術における問題点に鑑みてなされたものであって、ＧＰＳ衛星に関する既存の識別情報を使用し得るとともに、消費電力の増大を少なく抑えながら、安定したマナーエリア識別を行うことが可能な携帯電話機の使用制限システムを提供することを目的とする。
【課題を解決するための手段】
【００１１】
上記目的を達成するため、本発明は、マナーエリアでの携帯電話機の使用状態を制御する使用制限システムであって、マナーエリア信号を生成する識別信号発生装置と、マナーエリアに設置され、該識別信号発生装置で生成したマナーエリア信号を発信する送信アンテナとを有し、前記識別信号発生装置は、マナーエリアに送信電波が到達しないＧＰＳ衛星の識別情報を用いて拡散処理を行う拡散部と、拡散処理後の信号をＧＰＳ形式に変調し、前記マナーエリア信号として出力する変調部とを備え、前記携帯電話機は、ＧＰＳ形式の信号を受信する受信アンテナと、マナーエリアに送信電波が到達しないＧＰＳ衛星の識別情報を用い、前記受信アンテナで受信した信号に逆拡散処理を施す逆拡散部と、該逆拡散部での逆拡散処理の可否に応じて該携帯電話機の使用制限を実施する使用制限制御部とを備えることを特徴とする。
【００１２】
そして、本発明によれば、逆拡散処理の可否を利用してマナーエリアを識別するため、携帯電話機の測位動作が不要となり、また、ＧＰＳ衛星からの電波の受信状況の影響を受けることもない。さらに、マナーエリアに送信電波が到達しないＧＰＳ衛星の識別情報を用いてマナーエリア信号を生成するため、ＧＰＳ衛星に関する既存の識別情報を使用し、マナーエリアでの携帯電話機の使用状態を制御することができる。
【００１３】
上記携帯電話機の使用制限システムにおいて、前記マナーエリアに送信電波が到達しないＧＰＳ衛星を、不使用のＧＰＳ衛星及び／又はマナーエリアを基準として仰角が０°以下であるＧＰＳ衛星とすることができる。
【００１４】
上記携帯電話機の使用制限システムにおいて、前記送信アンテナを指向性放射アンテナとすることができ、これにより、局所的にマナーエリア信号を発信することができ、高精度にマナーエリアを識別することが可能になる。
【００１５】
上記携帯電話機の使用制限システムにおいて、前記識別信号発生装置が、ＧＰＳ形式の信号を受信する第１の受信アンテナと、該第１の受信アンテナで受信するＧＰＳ衛星からの運行データに基づき、前記マナーエリアに送信電波が到達しないＧＰＳ衛星を検出する第１の検出部とを備え、前記携帯電話機が、前記受信アンテナで受信するＧＰＳ衛星からの運行データに基づき、前記マナーエリアに送信電波が到達しないＧＰＳ衛星を検出する第２の検出部とを備えることができる。
【００１６】
上記携帯電話機の使用制限システムにおいて、マナーエリアに送信電波が到達しないＧＰＳ衛星の識別情報をＣ／Ａコードとすることができる。
【００１７】
上記携帯電話機の使用制限システムにおいて、前記使用制限を、前記携帯電話機の電源オフ、音声鳴動のオフ又は該携帯電話機の無線部の電源オフとすることができる。
【発明の効果】
【００１８】
以上のように、本発明によれば、ＧＰＳ衛星に関する既存の識別情報を使用し得るとともに、消費電力の増大を少なく抑えながら、安定したマナーエリア識別を行うことが可能になる。
【図面の簡単な説明】
【００１９】
【図１】本発明にかかる携帯電話機の使用制限システムの一実施の形態を示す構成図である。
【図２】図１の識別信号生成部の構成を示す図である。
【図３】図２のコードテーブルの一例を示す図である。
【図４】図１の携帯電話機の構成を示す図である。
【図５】識別信号発生装置の動作を示すフローチャートである。
【図６】携帯電話機の動作を示すフローチャートである。
【発明を実施するための形態】
【００２０】
次に、発明を実施するための形態について、図面を参照しながら詳細に説明する。
【００２１】
図１は、本発明にかかる携帯電話機の使用制限システムの一実施の形態を示し、この使用制限システム１は、大別して、識別信号発生装置２と、指向性放射アンテナ３と、携帯電話機４等から構成される。
【００２２】
識別信号発生装置２は、マナーエリア信号ＭＳを生成するためのものであり、ＧＰＳ衛星５−１〜５−ｎからの送信電波を適切に受信することが可能な場所に設置される。この識別信号発生装置２には、ＧＰＳ受信アンテナ２１と、ＧＰＳ受信部２２と、ＧＰＳデータ記憶部２３と、拡散用コード制御部２４と、識別信号生成部２５とが設けられる。
【００２３】
ＧＰＳ受信アンテナ２１は、ＧＰＳ衛星５−１〜５−ｎ（ｎは最大で３２）からの送信電波（ＧＰＳ信号）を受信するためのものであり、ＧＰＳ信号の中心周波数1575.42ＭＨｚに共振するアンテナである。ＧＰＳ受信部２２は、ＧＰＳ受信アンテナ２１で受信したＧＰＳ信号に対し、受信・復調・逆拡散（スペクトラム拡散に対するデコード処理）等の所定の信号処理を施す回路である。
【００２４】
ＧＰＳデータ記憶部２３は、ＧＰＳ受信部２２での信号処理を経て取得される運行データを記憶するメモリである。ここで、運行データは、ＧＰＳ衛星５−１〜５−ｎの運行状況を示すものであり、ＧＰＳ衛星５−１〜５−ｎの各々から定期的に送信される。この運行データには、自衛星の詳細な軌道や時刻情報を示すエフェメリスデータ（Ephemeris Data）、衛星機器の状態が正常であるか否かを示すヘルスデータ(Health Data)、ＧＰＳ衛星５−１〜５−ｎの全ての概略的な軌道を示すアルマナックデータ（Almanac Data）等が含まれる。
【００２５】
拡散用コード制御部２４は、ＧＰＳデータ記憶部２３に記憶された運行データに基づいて、その時点で使用されていないＧＰＳ衛星と、仰角が０°以下のＧＰＳ衛星（水平線より下に位置する衛星）とを検出する。また、拡散用コード制御部２４は、検出したＧＰＳ衛星のうちから１つの衛星を任意に選択し、その衛星番号ＳＮを出力する。
【００２６】
識別信号生成部２５は、拡散用コード制御部２４で選択された衛星番号ＳＮを用いてマナーエリア信号ＭＳを生成し、ＧＰＳ形式に変調して出力する。図２に示すように、識別信号生成部２５には、拡散用コード生成部２５ａと、ダミーデータ生成部２５ｂと、拡散部２５ｃと、変調／増幅部２５ｄとが設けられる。
【００２７】
拡散用コード生成部２５ａは、ＧＰＳ衛星番号とＣ／Ａコードの対応付けを示すコードテーブル（図３参照）を参照し、拡散用コード制御部２４で選択された衛星番号ＳＮに対応するＣ／Ａコード（拡散コード）を出力する。ダミーデータ生成部２５ｂは、マナーエリア信号ＭＳの生成に用いるダミーデータＤＤを生成するものであり、ダミーデータＤＤには、例えば、「１」と「０」が交互に連続するデータや、擬似乱数で生成されたランダムデータが用いられる。
【００２８】
拡散部２５ｃは、ダミーデータ生成部２５ｂで生成されたダミーデータＤＤを、拡散用コード生成部２５ａから出力されるＣ／Ａコードでスペクトラム拡散し、拡散データＳＤを生成する。変調／増幅部２５ｄは、拡散部２５ｃで生成された拡散データＳＤをＧＰＳ形式の搬送波1575.42ＭＨｚに変調し、増幅してマナーエリア信号ＭＳとして出力する。
【００２９】
図１に戻り、指向性放射アンテナ３は、マナーエリアに設置される送信アンテナである。この指向性放射アンテナ３は、識別信号発生装置２と接続され、マナーエリアにおいて、識別信号発生装置２から出力されるマナーエリア信号ＭＳを放射するために備えられる。
【００３０】
携帯電話機４は、ユーザが携帯する移動体通信端末であり、使用制限システム１に関連するものとして、図４に示すように、ＧＰＳ受信アンテナ４１と、ＧＰＳ受信部４２と、逆拡散部４３と、ＧＰＳデータ記憶部４４と、逆拡散用コード制御部４５と、逆拡散用コード生成部４６と、使用制限制御部４７と、動作モード制御部４８とを備える。
【００３１】
ＧＰＳ受信アンテナ４１は、識別信号発生装置２のＧＰＳ受信アンテナ２１と同様、ＧＰＳ衛星５−１〜５−ｎからのＧＰＳ信号を受信するためのものであり、ＧＰＳ信号の中心周波数1575.42ＭＨｚに共振するアンテナである。尚、携帯電話機４がマナーエリアに進入した場合には、指向性放射アンテナ３からの送信電波を受信するアンテナとしても機能とする。ＧＰＳ受信部４２は、ＧＰＳ受信アンテナ４１で受信した信号の受信・復調等を行う回路である。
【００３２】
逆拡散部４３は、ＧＰＳ受信部４２で処理された信号と、逆拡散用コード生成部４６で生成されるＣ／Ａコードとを用いてスペクトラム逆拡散（デコード処理）を行うとともに、逆拡散処理が可能であったか否かの処理結果を逆拡散用コード制御部４５及び使用制限制御部４７に通知する。
【００３３】
ＧＰＳデータ記憶部４４は、ＧＰＳ受信部４２及び逆拡散部４３での信号処理を経て取得される運行データを記憶するメモリである。尚、ここでの運行データは、識別信号発生装置２から運行データの提供を受けて取得するものではなく、携帯電話機４がＧＰＳ衛星５−１〜５−ｎからのＧＰＳ信号を受信して取得するものである。
【００３４】
逆拡散用コード制御部４５は、ＧＰＳデータ記憶部４４に記憶された運行データに基づいて、その時点で使用されていないＧＰＳ衛星と、仰角が０°以下のＧＰＳ衛星とを検出する。また、逆拡散用コード制御部４５は、検出したＧＰＳ衛星のうちから１つの衛星を任意に選択し、その衛星番号ＳＮを逆拡散用の候補として出力する。尚、逆拡散部４３で逆拡散できなかった場合には、他の衛星の衛星番号ＳＮを次の候補として出力する。
【００３５】
逆拡散用コード生成部４６は、ＧＰＳ衛星番号とＣ／Ａコードの対応付けを示すコードテーブル（図３参照）を参照し、逆拡散用コード制御部４５で選択された衛星番号ＳＮに対応するＣ／Ａコードを出力する。
【００３６】
使用制限制御部４７は、逆拡散部４３から逆拡散処理が可能であった旨の通知を受けた際に、携帯電話機４が指向性放射アンテナ３からのマナーエリア信号ＭＳを受信したと判断し、携帯電話機４に対して使用制限処理を施す。使用制限処理としては、携帯電話機４の電源オフ、音声鳴動のオフ、無線部（不図示）の電源オフなどがある。
【００３７】
動作モード制御部４８は、ＧＰＳ衛星５−１〜５−ｎからの運行データを受信しているか否かに応じて、マナーエリアの識別に関する携帯電話機４の動作モードを切り替えるための制御回路である。具体的には、運行データを受信していない期間に限り、マナーエリアの識別動作を行うように制御する。
【００３８】
次に、上記構成を有する使用制限システム１の動作について説明する。ここでは、先ず、使用制限システム１全体の動作について図１を参照しながら概略的に説明する。
【００３９】
識別信号発生装置２によりマナーエリア信号ＭＳが生成されると、指向性放射アンテナ３を通じてマナーエリアに放射される。その状態で、電源をオンした状態の携帯電話機４がマナーエリアに進入すると、マナーエリア信号ＭＳを受信するようになる。
【００４０】
携帯電話機４は、マナーエリア信号ＭＳを受信するのに応答して使用制限状態に移行し、例えば、自動的に電源をオフする。尚、携帯電話機４の電源をオフした状態でマナーエリアに進入した後に電源をオンした場合でも、上記と同様、自動的に電源をオフする。また、自動的に電源をオフする前に、ユーザが自発的に携帯電話機４の電源をオフした場合には、そのまま電源をオフした状態を維持する。
【００４１】
その後、ユーザがマナーエリアの外に出ると、携帯電話機４がマナーエリア信号ＭＳを受信しなくなるため、携帯電話機４は、使用制限状態を解除し、自動的に電源をオンする。
【００４２】
次に、識別信号発生装置２の動作について図５を中心に参照しながら説明する。
【００４３】
識別信号発生装置２において、ＧＰＳ衛星５−１〜５−ｎからのＧＰＳ信号を受信すると（ステップＳ１）、ＧＰＳ信号から運行データを抽出し、ＧＰＳデータ記憶部２３に記憶する（ステップＳ２）。
【００４４】
次いで、拡散用コード制御部２４において、ＧＰＳデータ記憶部２３に記憶した運行データに基づき、その時点で使用されていないＧＰＳ衛星を検出する（ステップＳ３）。不使用のＧＰＳ衛星の検出は、運行データに含まれるエフェメリスデータ（各衛星の軌道を示す情報）やヘルスデータ（衛星機器の状態を示す情報）を参照して故障中の衛星を検索することで行い、故障中の衛星があれば、その衛星を不使用の衛星として検出する。
【００４５】
その結果、不使用の衛星があった場合には（ステップＳ３：Ｙ）、その衛星の番号をマナーエリア信号ＭＳの生成に用いる衛星番号の候補とする（ステップＳ４）。一方、不使用の衛星がなかった場合には（ステップＳ３：Ｎ）、衛星番号を候補にすることなく、次の処理に移行する。
【００４６】
次に、運行データに基づいて、仰角が０°以下のＧＰＳ衛星を検出し、検出したＧＰＳ衛星の番号をマナーエリア信号ＭＳの生成に用いる衛星番号の候補とする（ステップＳ５）。仰角が０°以下であるＧＰＳ衛星の検出は、運行データに含まれるアルマナックデータ（全ＧＰＳ衛星の軌道を示す情報）を用いて各ＧＰＳ衛星の仰角を算出することで行う。具体的には、ＧＰＳ衛星５−１〜５−ｎの各々について、マナーエリアから見たＧＰＳ衛星の仰角を算出し、仰角が０°以下である衛星を割り出す。
【００４７】
次いで、候補にされた複数の衛星番号ＳＮのうちから１つの衛星番号ＳＮを任意に選択し（ステップＳ６）、拡散用コード生成部２５ａにおいて、選択された衛星番号ＳＮに対応するＣ／Ａコードを生成する。
【００４８】
次に、拡散部２５ｃにおいて、拡散用コード生成部２５ａからのＣ／Ａコードと、ダミーデータ生成部２５ｂからのダミーデータＤＤとを用いて拡散処理を行い（ステップＳ７）、その後、変調／増幅部２５ｄにおいて、拡散データＳＤをＧＰＳ形式の信号に変調し、マナーエリア信号ＭＳとして指向性放射アンテナ３に出力する（ステップＳ８）。
【００４９】
以後は、ステップＳ１〜Ｓ８の処理を定期的に繰り返し、ＧＰＳデータ記憶部２３の運行データや衛星番号の候補を更新する（ステップＳ９）。尚、運行データのアルマナックデータは、通常、１週間に２回程度の頻度で更新されるため、ＧＰＳデータ記憶部２３の運行データや衛星番号の候補は、１日単位で更新すれば十分である。但し、エフェメリスデータは、アルマナックデータより短い周期で送信されるため、１日１回よりも短い間隔で更新してもよい。
【００５０】
次に、携帯電話機４の動作について図６を中心に参照しながら説明する。
【００５１】
先ず、ＧＰＳ受信アンテナ４１の受信信号を参照し、ＧＰＳ衛星５−１〜５−ｎの運行データの受信状況を確認する（ステップＳ２１）。例えば、ＧＰＳ衛星５−１〜５−ｎから運行データを受信している場合や、携帯電話機４のナビゲーションソフト（不図示）により現在位置の測位を行っている場合等は、運行データの受信中に該当する。
【００５２】
そして、運行データを受信中であった場合には（ステップＳ２１：Ｙ）、識別信号発生装置２の場合と同様に、ＧＰＳ信号から運行データを抽出し、ＧＰＳデータ記憶部４４に記憶する（ステップＳ２２）。
【００５３】
次いで、逆拡散用コード制御部４５において、ＧＰＳデータ記憶部４４に記憶した運行データに基づき、その時点で使用されていないＧＰＳ衛星と、仰角が０°以下のＧＰＳ衛星とを検出する（ステップＳ２３〜Ｓ２５）。尚、ＧＰＳ衛星の検出手法は、識別信号発生装置２の場合と同様である。
【００５４】
携帯電話機４においても、例えば、１日単位でステップＳ２２〜Ｓ２５の処理を繰り返し、ＧＰＳデータ記憶部４４に記憶する運行データ、及び衛星番号の候補を定期的に更新する（ステップＳ２６）。
【００５５】
一方、運行データの受信中でなかった場合には（ステップＳ２１：Ｎ）、ＧＰＳ受信アンテナ４１において、携帯電話機４に届くＧＰＳ形式の送信電波を受信するとともに（ステップＳ２７）、逆拡散用コード制御部４５において、ステップＳ２３〜Ｓ２５で取得した候補のうちから１つの衛星番号ＳＮを選択する（ステップＳ２８）。
【００５６】
次いで、逆拡散部４３において、ＧＰＳ受信アンテナ４１で受信した信号を、逆拡散用コード制御部４５で選択された衛星番号ＳＮに対応するＣ／Ａコードで逆拡散する処理を試み、逆拡散が可能であったか否かを判定する（ステップＳ２９）。ここで、逆拡散処理が可能であったか否かは、逆拡散処理の結果として元のダミーデータＤＤが復元された否かを基準に判定し、ダミーデータＤＤを復元し得た場合に、識別信号発生装置２で用いたＣ／Ａコードと、携帯電話機４に記憶されたＣ／Ａコードとの相関が取れたものと認定する。
【００５７】
判定の結果、逆拡散処理が可能であった場合には（ステップＳ２９：Ｙ）、その旨を使用制限制御部４７に通知する（ステップＳ３０）。次いで、使用制限制御部４７において、逆拡散部４３からの通知に応じ、マナーエリア信号ＭＳを受信する状態にある（携帯電話機４がマナーエリアの領域内に位置する）と判断し、電源オフやマナーモードへの切り替えなどの使用制限を実施する（ステップＳ３１）。
【００５８】
これに対し、逆拡散処理が不可能であった場合には（ステップＳ２９：Ｎ）、逆拡散用コード制御部４５において、ステップＳ２３〜Ｓ２５で取得した候補のうちから別の衛星番号ＳＮを選択し（ステップＳ３２：Ｎ、ステップＳ２８）、改めて逆拡散処理の可否を判定する（ステップＳ２９）。その結果、逆拡散処理が可能であれば、使用制限を実施し（ステップＳ３０、Ｓ３１）、不可能であれば、新たな衛星番号ＳＮを選択する（ステップＳ２８）。
【００５９】
そして、ステップＳ２３〜Ｓ２５で取得した候補の全てを使い切っても逆拡散できなかった場合には（ステップＳ３２：Ｙ）、マナーエリア信号ＭＳを受信しない状態にある（携帯電話機４がマナーエリアの外部に位置する）と判断し、使用制限状態に移行しないか、或いは、使用制限状態に移行中であれば、使用制限を解除する（ステップＳ３３）。
【００６０】
以上のように、本実施の形態においては、マナーエリアに送信電波が到達しないＧＰＳ衛星のＣ／Ａコードを用いた拡散処理により、マナーエリア信号ＭＳを生成して指向性放射アンテナ３から発信し、携帯電話機４で、ＧＰＳ受信アンテナ４１の受信信号に対し、マナーエリアに送信電波が到達しないＧＰＳ衛星のＣ／Ａコードを用いた逆拡散処理を施すようにしている。これにより、指向性放射アンテナ３からの送信電波を受信しない場合には、携帯電話機４の逆拡散処理が不可能になり、指向性放射アンテナ３からの送信電波を受信する場合に限って、逆拡散処理を完了し得るようになる。
【００６１】
その上で、携帯電話機４で逆拡散処理が可能であった場合にのみ、携帯電話機４の使用制限を実施するように構成するため、携帯電話機４がマナーエリアに進入するのに応じて、自動的に携帯電話機４を使用制限状態へ移行させることができる。従って、携帯電話機の現在位置の測位動作を利用することなく、マナーエリアでの使用状態を制御することができ、消費電力の増大を回避することが可能になる。
【００６２】
また、本実施の形態によれば、不使用のＧＰＳ衛星と仰角が０°以下のＧＰＳ衛星のＣ／Ａコードを用いてマナーエリア信号を生成するため、マナーエリアの識別のみを目的とした専用コードを生成する必要がなく、既存のＣ／Ａコードをそのまま利用することができる。このため、Ｃ／Ａコード生成回路の拡大を伴うことがなく、ＧＰＳ衛星の使用状況をモニタするロジック（逆拡散用コード制御部）のみを追加すれば足りる。
【００６３】
さらに、本実施の形態によれば、マナーエリアに設置した指向性放射アンテナ３からマナーエリア信号ＭＳを発信するため、ＧＰＳ衛星５−１〜５−ｎからの電波の受信状況に影響されることなく、マナーエリアを識別することが可能になる。この際、送信アンテナに指向性放射アンテナ３を用い、局所的にマナーエリア信号ＭＳを発信するため、高精度にマナーエリアを識別することができる。
【００６４】
尚、上記実施の形態においては、マナーエリアに送信電波が到達しないＧＰＳ衛星として、不使用のＧＰＳ衛星と仰角が０°以下であるＧＰＳ衛星との双方を検出するが、いずれか一方のみを検出してもよい。
【００６５】
また、上記実施の形態においては、携帯電話機４がマナーエリアに進入した場合に、常に使用制限状態へ移行するように構成するが、携帯電話機４の設定操作により、マナーエリアへの進入時に使用制限状態へ移行するか否かを事前に選択し得るようにしてもよい。
【符号の説明】
【００６６】
１  携帯電話機の使用制限システム
２  識別信号発生装置
３  指向性放射アンテナ
４  携帯電話機
５（５−１〜５−ｎ）  ＧＰＳ衛星
２１  ＧＰＳ受信アンテナ
２２  ＧＰＳ受信部
２３  ＧＰＳデータ記憶部
２４  拡散用コード制御部
２５  識別信号生成部
２５ａ  拡散用コード生成部
２５ｂ  ダミーデータ生成部
２５ｃ  拡散部
２５ｄ  変調／増幅部
２５ｅ  コードテーブル
４１  ＧＰＳ受信アンテナ
４２  ＧＰＳ受信部
４３  逆拡散部
４４  ＧＰＳデータ記憶部
４５  逆拡散用コード制御部
４６  逆拡散用コード生成部
４７  使用制限制御部
４８  動作モード制御部
【図１】
2011035805.tif 000003
【図２】
2011035805.tif 000004
【図３】
2011035805.tif 000005
【図４】
2011035805.tif 000006
【図５】
2011035805.tif 000007
【図６】
2011035805.tif 000008